(57)【要約】      （修正有）【課題】車両運転者が、インジケータ表示部が点灯していることに気付き易い車両用表示装置を提供する。【解決手段】液晶表示器（表示器）は、画像を表示する画面Ｓを有する。マイコン（制御手段）は、画面Ｓに画像を表示させる。表示板は、画面Ｓに並設された複数のインジケータ表示部５１Ａ〜５１Ｊを有する。発光素子は、インジケータ表示部５１Ａ〜５１Ｊを各々点灯させる。マイコン（制御手段）は、発光素子によってインジケータ表示部５１Ａ〜５１Ｊが点灯状態にされているときに、インジケータ表示部５１Ａ〜５１Ｊが点灯状態であることを示す情報画像Ｇ１を画面Ｓに表示させる。【選択図】図１
2017114248.tif 000002
【特許請求の範囲】
【請求項１】
画像を表示する画面を有する表示器と、前記画面に前記画像を表示させる制御手段と、前記画面に並設されたインジケータ表示部と、を備え、
前記制御手段は、前記インジケータ表示部が点灯状態であるときに、前記インジケータ表示部が点灯状態であることを示す情報画像を前記画面に表示させることを特徴とする車両用表示装置。
【請求項２】
画像を表示する画面を有する表示器と、前記画面に前記画像を表示させる制御手段と、前記画面に並設された複数のインジケータ表示部を有する表示板と、前記インジケータ表示部を各々点灯させる複数の発光素子と、を備え、
前記制御手段は、前記発光素子によって前記インジケータ表示部が点灯状態にされているときに、前記インジケータ表示部が点灯状態であることを示す情報画像を前記画面に表示させることを特徴とする車両用表示装置。
【請求項３】
前記制御手段は、前記インジケータ表示部が点灯状態になってから所定時間だけ、文字画像を含む前記情報画像を前記画面に表示させ、前記所定時間が経過した後は、前記文字画像を含まない前記情報画像を前記画面に表示させることを特徴とする請求項１または請求項２に記載の車両用表示装置。
【請求項４】
前記制御手段は、前記文字画像を含む前記情報画像を前記所定時間で徐々に縮小させながら表示させることを特徴とする請求項３に記載の車両用表示装置。
【請求項５】
前記制御手段は、前記所定時間が経過した後は、前記文字画像を含まない前記情報画像を所定周期で点滅表示させることを特徴とする請求項３または請求項４に記載の車両用表示装置。
【発明の詳細な説明】
【技術分野】
【０００１】
本発明は、警告表示を行うためのインジケータ表示部を備えた車両用表示装置に関するものである。
【背景技術】
【０００２】
従来より、種々の画像を表示する液晶表示器と、各種の警告表示を行うためのインジケータ表示部とを備えた車両用表示装置が種々提案され、例えば特許文献１に開示されている。斯かる車両用表示装置は、液晶表示器の画面に、車両速度等の車両情報を表示すると共に、インジケータ表示部を点灯させることにより、警告表示を行うものである。
【先行技術文献】
【特許文献】
【０００３】
【特許文献１】特開２０１５−７２３８０号公報
【発明の概要】
【発明が解決しようとする課題】
【０００４】
しかしながら、車両運転者がインジケータ表示部の点灯を認識できない虞があった。つまり、インジケータ表示部は、点灯しているか、消灯しているかのどちらかであるため、インジケータ表示部が点灯しても、車両運転者が気付かない虞があるため、視認性を向上させるために改良の余地があった。
本発明は、この問題に鑑みなされたものであり、車両運転者がインジケータ表示部の点灯に気付き易い車両用表示装置を提供するものである。
【課題を解決するための手段】
【０００５】
本発明は、画像を表示する画面Ｓを有する表示器１０と、前記画面Ｓに前記画像を表示させる制御手段１００と、前記画面Ｓに並設されたインジケータ表示部５１Ａ〜５１Ｊと、を備え、前記制御手段１００は、前記インジケータ表示部５１Ａ〜５１Ｊが点灯状態であるときに、前記インジケータ表示部５１Ａ〜５１Ｊが点灯状態であることを示す情報画像Ｇ１，Ｇ２を前記画面Ｓに表示させるものである。
【０００６】
また、本発明は、画像を表示する画面Ｓを有する表示器１０と、前記画面Ｓに前記画像を表示させる制御手段１００と、前記画面Ｓに並設された複数のインジケータ表示部５１Ａ〜５１Ｊを有する表示板５０と、前記インジケータ表示部５１Ａ〜５１Ｊを各々点灯させる複数の発光素子４１Ａ〜４１Ｊと、を備え、前記制御手段１００は、前記発光素子４１Ａ〜４１Ｊによって前記インジケータ表示部５１Ａ〜５１Ｊが点灯状態にされているときに、前記インジケータ表示部５１Ａ〜５１Ｊが点灯状態であることを示す情報画像Ｇ１，Ｇ２を前記画面Ｓに表示させるものである。
【０００７】
また、本発明は、前記制御手段１００は、前記インジケータ表示部５１Ａ〜５１Ｊが点灯状態になってから所定時間だけ、文字画像を含む前記情報画像Ｇ１を前記画面Ｓに表示させ、前記所定時間が経過した後は、前記文字画像を含まない前記情報画像Ｇ２を前記画面Ｓに表示させるものである。
【０００８】
また、本発明は、前記制御手段１００は、前記文字画像を含む前記情報画像Ｇ１を前記所定時間で徐々に縮小させながら表示させるものである。
【０００９】
前記制御手段１００は、前記所定時間が経過した後は、前記文字画像を含まない前記情報画像Ｇ２を所定周期で点滅表示させるものである。
【発明の効果】
【００１０】
インジケータ表示部が点灯状態であることを示す情報画像が画面に表示されるため、インジケータ表示部が点灯していることに車両運転者が気付き易い。
【図面の簡単な説明】
【００１１】
【図１】本発明の第一実施形態を示す正面図。
【図２】同上実施形態を示す正面図。
【図３】同上実施形態を示す断面図。
【図４】同上実施形態を示すブロック図。
【図５】同上実施形態を示す表示例説明図。
【図６】本発明の第二実施形態を示す表示例説明図。
【発明を実施するための形態】
【００１２】
以下、添付図面に基づいて、本発明の一実施形態を説明する。図１乃至図５は、第一実施形態を示すものである。車両用表示装置は、液晶表示器１０，保護カバー２０，ハウジング３０，回路基板４０，表示板５０，中ケース６０を備えている。
【００１３】
液晶表示器１０は、液晶表示パネル１１及びバックライトモジュール１２をケース体１３に収納したものであり、略平板形状になっている。液晶表示パネル１１は、バックライトモジュール１２によって透過照明される。液晶表示パネル１１は、ＴＦＴ型フルカラーＬＣＤパネルからなるものであり、矩形の画面Ｓを有している。液晶表示パネル１１の画面Ｓには、多数の画素がマトリクス状に配置されている。
【００１４】
バックライトモジュール１２は、液晶表示パネル１１の後側に配設されており、液晶表示パネル１１を後面から照明する。液晶表示器１０のケース体１３は、支持部１３ａを有しており、この支持部１３ａにて液晶表示器１０が回路基板４０の前面に固定されている。液晶表示器１０の液晶表示パネル１１及びバックライトモジュール１２は、後述するマイコン１００によって制御され、車両速度，ナビゲーション情報等の車両情報を表示する。
【００１５】
保護カバー２０は、アクリルやポリカーボネート等の透光性樹脂からなり、全体が略均一な厚さを有する板状になっている。保護カバー２０は、湾曲形状になっており、車両用表示装置を視認する者から見て凹形状（液晶表示器１０に向かって凸形状）になっている。保護カバー２０は、液晶表示器１０及び表示板５０の前側に配設されており。ハウジング３０に固定されている。
【００１６】
ハウジング３０は、ＡＥＳ等の樹脂からなるものであり、底壁部３１及び周壁部３２を有している。ハウジング３０には、液晶表示器１０，回路基板４０，表示板５０，中ケース６０が収納されている。ハウジング３０の底壁部３１には、前方に突出する突出部３１ａが形成されており、この突出部３１ａに回路基板４０が支持されている。ハウジング３０の周壁部３２の前面には保護カバー２０が固定されている。
【００１７】
回路基板４０は、ガラスエポキシ樹脂からなる基材に銅箔からなる配線パターンを形成したものであり、ハウジング３０に収納されている。回路基板４０は、図示しない可撓性配線板によって液晶表示器１０の液晶表示パネル１１及びバックライトモジュール１２に接続されている。回路基板４０の前面には、液晶表示器１０の液晶表示パネル１１及びバックライトモジュール１２を駆動するマイコン１００や、表示板５０のインジケータ表示部５１Ａ〜５１Ｊを夫々透過照明するための発光素子４１Ａ〜４１Ｊが搭載されている。発光素子４１Ａ〜４１Ｊは、例えば、表面実装型の発光ダイオードからなるものであるが、発光ダイオードに限定されるものではない。
【００１８】
表示板５０は、透光性シートからなる基材に各種印刷層を形成したものであり、インジケータ表示部５１Ａ〜５１Ｊを有している。インジケータ表示部５１Ａ〜５１Ｅは、液晶表示器１０の画面Ｓの左側に配設されており、インジケータ表示部５１Ｆ〜５１Ｊは、液晶表示器１０の画面Ｓの右側に配設されている。インジケータ表示部５１Ａ〜５１Ｅは、画面Ｓの左辺に沿うように、上下方向の列状に配設されている。インジケータ表示部５１Ｆ〜５１Ｊは、画面Ｓの右辺に沿うように、上下方向の列状に配設されている。表示板５０には、液晶表示器１０の画面Ｓに対応する矩形の開口部５２が形成されている。
【００１９】
中ケース６０は、表示板５０を搭載する前面部６１と、発光素子４１Ａ〜４１Ｊの照明室を構成する遮光壁６２と、を有している。中ケース６０の遮光壁６２は、各インジケータ表示部５１Ａ〜５１Ｊに対応する筒状になっており、遮光壁６２の前端は表示板５０に当接し、後端は回路基板４０に当接している。
【００２０】
図４は、車両用表示装置の電気的構成を示すブロック図である。マイコン１００は、ＣＰＵ１０１，ＲＯＭ１０２，ＲＡＭ１０３を有している。マイコン１００は、ＲＯＭ１０２に格納されている所定のプログラムに基づいて、液晶表示器１０の液晶表示パネル１１及びバックライトモジュール１２と、発光素子４１Ａ〜４１Ｊを駆動する。マイコン１００は、ＣＡＮ（Controller Area Network）から入力された各種信号に基づいて、発光素子４１Ａ〜４１Ｊを適宜点灯させ、警告表示を行う。
【００２１】
次に、図５に基づいて、車両用表示装置の表示例について説明する。通常時は、インジケータ表示部５１Ａ〜５１Ｊは消灯している（図５（ａ））。例えば、走行中にシートベルトが外されたときには、インジケータ表示部５１Ａが点灯すると共に、「シートベルトを着用してください」という文字画像を含む情報画像Ｇ１が画面Ｓに表示される（図５（ｂ））。情報画像Ｇ１は、インジケータ表示部５１Ａの近傍に表示される。
【００２２】
インジケータ表示部５１Ａが点灯してから所定時間（例えば５秒間）が経過した後は、画面Ｓに情報画像Ｇ２が１秒周期で点滅表示される（図５（ｃ））。情報画像Ｇ２は、インジケータ表示部５１Ａの近傍に表示される。情報画像Ｇ２は、棒状の図形からなる画像であり、文字画像を含んでいない。再び、シートベルトが装着されたときは、インジケータ表示部５１Ａが消灯すると共に、情報画像Ｇ２が表示されなくなる（図５（ｄ））。
【００２３】
なお、図１は、インジケータ表示部５１Ａ，５１Ｉが点灯し、インジケータ表示部５１Ｂ〜５１Ｈ，５１Ｊが消灯していると共に、「シートベルトを着用してください」という文字画像と、「タイヤ空気圧が低下しています」という文字画像とを含む情報画像Ｇ１が画面Ｓに表示されている状態を示している。
【００２４】
また、図２は、インジケータ表示部５１Ａ，５１Ｉが点灯し、インジケータ表示部５１Ｂ〜５１Ｈ，５１Ｊが消灯していると共に、文字画像を含まない情報画像Ｇ２が画面Ｓに表示されている状態を示している。本実施形態では、「インジケータ表示部５１Ａ〜５１Ｊが点灯」と「発光素子４１Ａ〜４１Ｊが点灯」は同じ状態であり、「インジケータ表示部５１Ａ〜５１Ｊが消灯」と「発光素子４１Ａ〜４１Ｊが消灯」は同じ状態である。
【００２５】
図６は第二実施形態を示すものである。第二実施形態は、第一実施形態に比して、情報画像Ｇ１の表示形態が異なるだけであり、他の構成は第一実施形態と同様である。
【００２６】
通常時は、インジケータ表示部５１Ａ〜５１Ｊは消灯している（図６（ａ））。シートベルトが外れているときには、インジケータ表示部５１Ａが点灯すると共に、「シートベルトを着用してください」という文字画像を含む情報画像Ｇ１が画面Ｓに表示される（図６（ｂ））。情報画像Ｇ１は、徐々に縮小しながら、所定時間（例えば５秒間）だけ表示される（図６（ｂ）〜図６（ｄ））。インジケータ表示部５１Ａが点灯してから所定時間（例えば５秒間）が経過した後は、画面Ｓに情報画像Ｇ２が１秒周期で点滅表示される（図６（ｅ））。シートベルトが装着されたときは、インジケータ表示部５１Ａが消灯すると共に、情報画像Ｇ２が表示されなくなる（図６（ｆ））。
【００２７】
第一，第二実施形態は、画像を表示する画面Ｓを有する液晶表示器（表示器）１０と、画面Ｓに画像を表示させるマイコン（制御手段）１００と、画面Ｓに並設された複数のインジケータ表示部５１Ａ〜５１Ｊを有する表示板５０と、インジケータ表示部５１Ａ〜５１Ｊを各々点灯させる複数の発光素子４１Ａ〜４１Ｊと、を備え、マイコン（制御手段）１００は、発光素子４１Ａ〜４１Ｊによってインジケータ表示部５１Ａ〜５１Ｊが点灯状態にされているときに、インジケータ表示部５１Ａ〜５１Ｊが点灯状態であることを示す情報画像Ｇ１，Ｇ２を画面Ｓに表示させるものであり、インジケータ表示部５１Ａ〜５１Ｊの点灯に連動して情報画像Ｇ１，Ｇ２が画面Ｓに表示されるため、インジケータ表示部５１Ａ〜５１Ｊが点灯していることに車両運転者が気付き易くなる。
【００２８】
且つ、マイコン（制御手段）１００は、インジケータ表示部５１Ａ〜５１Ｊが点灯状態になってから所定時間だけ、文字画像を含む情報画像Ｇ１を画面Ｓに表示させ、前記所定時間が経過した後は、文字画像を含まない情報画像Ｇ２を画面Ｓに表示させるため、長時間に亘って、車両情報を表示するためのスペースを狭くしてしまう虞がない。
【００２９】
なお、本発明は、第一，第二実施形態に限定されるものではなく、種々の変形が可能である。例えば、インジケータ表示部５１Ａ〜５１Ｊが有機ＥＬ表示パネル等の自発光型表示パネルからなるものであっても良い。
【符号の説明】
【００３０】
１０  液晶表示器（表示器）
４１Ａ〜４１Ｊ  発光素子
５０  表示板
５１Ａ〜５１Ｊ  インジケータ表示部
１００  マイコン（制御手段）
Ｇ１  情報画像
Ｇ２  情報画像
Ｓ      画面
【図１】
2017114248.tif 000003
【図２】
2017114248.tif 000004
【図３】
2017114248.tif 000005
【図４】
2017114248.tif 000006
【図５】
2017114248.tif 000007
【図６】
2017114248.tif 000008